(57)【要約】      （修正有）【課題】基台と掲示手段とを回動可能に連結するヒンジ部のロック解除操作が容易な表示器具を提供する。【解決手段】表示器具は、磁力吸着手段である永久磁石１１を有する基台１０と、ヒンジ機構を介して基台１０に回動可能に取り付けられた掲示手段５０と、を備えている。ヒンジ機構は、掲示手段に突出状に設けられた第１軸受け管３１と、基台１０に所定距離を隔てて突出状に設けられた一対の第２軸受け管３２，３３と、第１軸受け管３１及び第２軸受け管３２，３３を貫通する軸体４０と、を備えている。第１軸受け管３１の端部３１ａ側にはセレーション孔部３１ｓが形成され、端部３１ａと対向する、第２軸受け管３２の端部３２ａ側にはセレーション孔部３２ｓが形成されている。【選択図】図４
0003206440.tif 000002
【実用新案登録請求の範囲】
【請求項１】
磁力吸着手段若しくは粘着吸着手段を有する基台と、ヒンジ機構を介して前記基台に回動可能に取り付けられた掲示手段と、を備え、
前記ヒンジ機構が、
前記掲示手段（若しくは前記基台）に設けられた第１軸受け管と、
前記基台（若しくは前記掲示手段）に設けられた複数の第２軸受け管と、
前記第１軸受け管と、前記第１軸受け管を同軸上で挟むように配置された前記第２軸受け管とを貫通し、一方の前記第２軸受け管の端部に露出した状態に配置された軸体と、
前記軸体の軸心方向の移動により、前記ヒンジ機構をロックしたり解除したりするため、前記第１軸受け管及び前記第２軸受け管と、前記軸体との間に設けられた係止手段と、
前記ヒンジ機構をロック状態に保持するため、前記軸体を前記第２軸受け管の端部に露出する方向へ付勢する付勢手段と、を備えた表示器具。
【請求項２】
前記係止手段がセレーション機構である請求項１記載の表示器具。
【考案の詳細な説明】
【技術分野】
【０００１】
本考案は、スーパーマーケットやコンビニエンスストアあるいはその他の販売施設や展示施設などに配置された陳列棚や陳列ケースなどに陳列された商品の情報あるいは店舗情報などを表示するための表示器具に関する。
【背景技術】
【０００２】
スーパーマーケットやコンビニエンスストアに配置された陳列棚などに陳列された商品の情報あるいは店舗情報などを表示するための表示器具については、従来、多種多様なものが開発されているが、本考案に関連するものとして、例えば、特許文献１記載の「表示器具」がある。
【０００３】
特許文献１記載の「表示器具」は、磁力吸着面を有する基台及びこの基台に回動可能に設けられた第一掲示手段を有する本体部と、本体部を非磁性体に係止するため基台に着脱可能に取り付けられる粘着性係止手段若しくは挟持手段の少なくとも一方と、を備えたものである。特許文献１記載の「表示器具」は、係止対象物の材質、形状に関する制約が少なく、汎用性に優れている。
【先行技術文献】
【特許文献】
【０００４】
【特許文献１】特開２０１２−５３３５６号公報
【考案の概要】
【考案が解決しようとする課題】
【０００５】
前述したように、特許文献１記載の「表示器具」は、係止対象物の材質、形状に関する制約が少なく、汎用性に優れている。しかしながら、特許文献１記載の「表示器具」において、平常時は回動不能に保持されているヒンジ部１７を回動可能な状態にするには、同文献中の［図４］（ａ）に示すように、軸部１３ｂの端部に矢線Ｆ方向の力を加え、同図（ｂ）に示すように、軸受部１２ｄと軸部１３ｂとを軸心１７ａに沿って互いに逆方向にスライドさせる必要がある。
【０００６】
ところが、このようなスライド操作を行う場合、片方の手で基台１２を掴み、他方の手で第一掲示手段１３を掴み、基台１２を掴んでいる方の手の指で、軸部１３ｂの端部に矢線Ｆ方向の力を加える必要がある。このため、片手でのスライド操作が困難であり、基台と掲示手段とを連結するヒンジ部を回動させる際の操作性に欠ける面がある。
【０００７】
そこで、本考案が解決する課題は、基台と掲示手段とを回動可能に連結するヒンジ部のロック解除操作が容易な表示器具を提供することにある。
【課題を解決するための手段】
【０００８】
本考案の表示器具は、磁力吸着手段若しくは粘着吸着手段を有する基台と、ヒンジ機構を介して前記基台に回動可能に取り付けられた掲示手段と、を備え、
前記ヒンジ機構が、
前記掲示手段（若しくは前記基台）に設けられた第１軸受け管と、
前記基台（若しくは前記掲示手段）に設けられた複数の第２軸受け管と、
前記第１軸受け管と、前記第１軸受け管を同軸上で挟むように配置された前記第２軸受け管とを貫通し、一方の前記第２軸受け管の端部に露出した状態に配置された軸体と、
前記軸体の軸心方向の移動により、前記ヒンジ機構をロックしたり解除したりするため、前記第１軸受け管及び前記第２軸受け管と、前記軸体との間に設けられた係止手段と、
前記ヒンジ機構をロック状態に保持するため、前記軸体を前記第２軸受け管の端部に露出する方向へ付勢する付勢手段と、を備えたことを特徴とする。
【０００９】
ここで、前記表示器具においては、前記係止手段としてセレーション機構を設けることができる。
【考案の効果】
【００１０】
本考案により、基台と掲示手段とを回動可能に連結するヒンジ部のロック解除操作が容易な表示器具を提供することができる。
【図面の簡単な説明】
【００１１】
【図１】本考案の実施形態である表示器具を示す斜視図である。
【図２】図１に示す表示器具を異なる方向から見た斜視図である。
【図３】図２中の矢線Ａ方向から見たときのヒンジ機構の回動状態を示す図である。
【図４】図２中の矢線Ｂ方向から見た表示器具の分解図である。
【図５】図４中の矢線Ｃ方向から見た軸体を示す図である。
【図６】図４中のＤ−Ｄ線における断面図である。
【考案を実施するための形態】
【００１２】
以下、図１〜図６に基づいて、本考案の実施形態である表示器具１００について説明する。図１〜図６に示すように、表示器具１００は、磁力吸着手段である永久磁石１１を有する基台１０と、ヒンジ機構３０を介して基台１０に回動可能に取り付けられた掲示手段５０と、を備えている。基台１０は、図６に示すように、下面１０ｂが開口した浅い箱体形状であり、その内部に設けられた複数のフック１２及びストッパ１３により、永久磁石１１が着脱可能に収納されている。
【００１３】
掲示手段５０は、平板状の支持部５１と、支持部５１に対向するように配置された押圧部５２と、が基端部５３で連接されたクリップ形状をなしている。掲示手段５０は弾性を有する合成樹脂で形成されているので、図１，図２に示すように、支持部５１と押圧部５２との間にプライスカードＰなどを着脱可能に挟持することができる。なお、図１，図２に示す掲示手段５０は一例であり、本考案に係る掲示手段は図１，図２に示すものに限定されないので、プライスカードＰなどの被掲示物のサイズや形状などに対応して、適切な形状、構造、サイズとすることができる。
【００１４】
図３〜図５に示すように、ヒンジ機構３０は、掲示手段に突出状に設けられた第１軸受け管３１と、基台１０に所定距離を隔てて突出状に設けられた複数（一対）の第２軸受け管３２，３３と、第１軸受け管３１及び第２軸受け管３２，３３を貫通する軸体４０と、を備えている。第１軸受け管３１の端部３１ａ側にはセレーション孔部３１ｓが形成され、端部３１ａと対向する、第２軸受け管３２の端部３２ｂ側にはセレーション孔部３２ｓが形成されている。
【００１５】
図４，図５に示すように、軸体４０の先端側には、軸心４０ｃを挟んで互いに弾性的に接近離隔可能な一対のフック部４３が設けられ、軸体４０の基端側には押圧部４１が設けられている。フック部４３の押圧部４１側にはセレーション軸部４２及びセレーション軸部４２の外径より小径の縮径部４５が設けられている。セレーション軸部４２と押圧部４１との間の部分には、軸心４０ｃを挟んで弾性的に拡径縮径可能な一対の付勢部材４４が設けられている。
【００１６】
表示器具１００においては、ヒンジ機構３０をロックしたり解除したりするための係止手段として、第１軸受け管３１及び第２軸受け管３２と、軸体４０との間にセレーション機構を設けている。具体的には、前述した第１軸受け管３１のセレーション孔部３１ｓ及び第２軸受け管３２のセレーション孔部３２ｓと、セレーション孔部３１ｓ，３２ｓに相通されるセレーション軸部４２と、によってセレーション機構を構成している。
【００１７】
図４に示すように、基台１０の第２軸受け管３２，３３の間に、掲示手段５０の第１軸受け管３１が同軸上で挟まれるように配置し、軸体４０の先端側（フック部４３側）を、第２軸受け管３３の端部３３ａから第２軸受け管３２に向かって挿入すると、フック部４３が第２軸受け管３２の端部３２ａ側の拡径部３２ｃに係合し、軸体４０が抜けないように保持される。また、軸体４０の押圧部４１は、一方の第２軸受け管３３の端部３３ａに露出した状態に保持される。なお、軸体４０の軸心４０ｃ方向の全長（押圧部４１からフック部４３の先端までの距離）は、第２軸受け管３２の端部３２ａと第２軸受け管３３の端部３３ａとの間の距離の同等以下に設定されている。
【００１８】
図１，図２の状態にあるとき、軸体４０のセレーション軸部４２は、第１軸受け管３１のセレーション孔部３１ｓ及び第２軸受け管３２のセレーション孔部３２ｓの両方と係合した状態にあり、付勢部材４４により、この状態を維持するように保持されているので、ヒンジ機構３０は回動不能にロックされている。この状態で掲示手段５０にプライスカードＰを挟持させ、基台１０の下面１０ａ（図３参照）を陳列棚などの磁性物体に当接させれば永久磁石１１の吸着力により、表示器具１００はその場所に安定的に保持される。
【００１９】
表示器具１００においては基台１０の下面１０ａ側に収納された永久磁石１１の吸着力によって表示器具１００を一定場所に保持しているが、保持手段はこれに限定するものではないので、永久磁石１１の代わりに（若しくは永久磁石１１と併せて）、基台１０の下面１０ａに粘性吸着手段（例えば、自己粘着性エラストマーシートなど）を配置すれば、磁性物体が存在しない場所においても表示器具１００を安定的に保持することができる。
【００２０】
一方、軸体４０の押圧部４１と第２軸受け管３２の端部３２ａとを、片方の手の２本の指（例えば、親指と人差し指）で挟み、押圧部４１を押圧すると、軸体４０は、軸心４０ｃに沿って、第２軸受け管３２に向かって移動し、軸体４０のセレーション軸部４２は、第１軸受け管３１のセレーション孔部３１ｓから離脱し、第２軸受け管３２のセレーション孔部３２ｓのみと係合した状態となるので、ヒンジ機構３０は図３に示すように、軸体４０を中心にして回動可能となる。具体的には、掲示手段５０は、基台１０に重なり合った状態から軸体４０を中心に約２７０度の範囲内で回動可能である。
【００２１】
ヒンジ機構３０を回動させ、基台１０と表示手段５０とが希望する角度になったところで軸体４０の押圧部４１への押圧を解除すると、軸体４０のセレーション軸部４２は、付勢部材４４の作用により、再び、第１軸受け管３１のセレーション孔部３１ｓ及び第２軸受け管３２のセレーション孔部３２ｓの両方と係合した状態に戻るので、ヒンジ機構３０は回動不能にロックされる。これにより、基台１０と掲示手段５０とは、軸体４０を中心とする約２７０度の範囲内の希望する角度の状態で保持される。
【００２２】
このように、表示器具１００においては、軸体４０の押圧部４１と第２軸受け管３２の端部３２ａとを、片方の手の２本の指（例えば、親指と人差し指）で挟んで、押圧部４１を押圧したり、押圧を解除したりするだけで、ヒンジ機構３０のロックを解除したり、ロックしたりすることができる。このため、表示器具１００は、基台１０と掲示手段５０とを回動可能に連結するヒンジ部３０のロック解除操作、再ロック操作が容易であり、操作性に優れている。
【００２３】
なお、図１〜図６に基づいて説明した表示器具１００は、本考案の一例を示すものであり、本考案の表示器具は前述した表示器具１００に限定されない。
【産業上の利用可能性】
【００２４】
本考案の表示器具は、スーパーマーケットやコンビニエンスストアの店内に配置された陳列棚などに陳列された商品の情報あるいは店舗情報などの表示手段として広く利用することができる。
【符号の説明】
【００２５】
１０  基台
１１  永久磁石
１２  フック
１３  ストッパ
３０  ヒンジ機構
３１  第１軸受け管
３１ａ，３２，３３ａ  端部
３１ｓ，３２ｓ  セレーション孔部
３２，３３  第２軸受け管
３２ｃ  拡径部
４０  軸体
４０ｃ  軸心
４１  押圧部
４２  セレーション軸部
４３  フック部
４４  付勢部材
４５  縮径部
５０  表示手段
５１  支持部
５２  押圧部
５３  基端部
１００  表示器具
Ｐ  プライスカード
【図３】
0003206440.tif 000003
【図４】
0003206440.tif 000004
【図５】
0003206440.tif 000005
【図６】
0003206440.tif 000006
【図１】
0003206440.tif 000007
【図２】
0003206440.tif 000008